(57)【要約】【課題】建造物の入隅部位Ｉの躯体１に建て付けられる建築用シャッター装置２において、開口部Ｏの開口幅を確保しつつ、下面ケース１０を着脱可能としてシャッターケース５内の点検等のメンテナンス作業を可能とする。【解決手段】建造物の躯体１の入隅部位Ｉに建て付けられる建築用シャッター装置２において、シャッターケース５を、下面９ａに開口部９ｂが形成されたケース本体９と、該ケース本体９の下面９ａに着脱可能に取り付けられて開口部９ｂを覆蓋する覆蓋ケースである下面ケース１０と、を備えたものとし、躯体１の入隅部位Ｉには外壁３を切り欠くことで凹溝４を形成し、ケース本体９及び下面ケース１０はいずれも、入隅側の端部１０ｃが凹溝４に組込まれており、凹溝４は、覆蓋ケース１０の取り外し方向外方である下方まで切り欠かれていて下面ケース１０を取り外し可能なスペースＳが形成されているものとする。【選択図】図４
2018104896.tif 000002
【特許請求の範囲】
【請求項１】
シャッターカーテンが巻装される巻取りドラムと、
該巻き取りドラムを内装するシャッターケースと、
シャッターカーテンをガイドするガイドレールと、を備えており、
少なくとも左右いずれか一端部が建造物の入隅部位の躯体に建て付けられる建築用シャッター装置において、
前記シャッターケースは、開口部が形成されたケース本体と、該ケース本体に着脱可能に取り付けられて前記開口部を覆蓋する覆蓋ケースと、を備えており、
前記入隅部位の躯体には外壁を切り欠くことで凹溝が形成されており、
前記ケース本体及び覆蓋ケースはいずれも、入隅側の端部が前記凹溝に組込まれており、
前記凹溝は、覆蓋ケースの取り外し方向外方まで切り欠かれていて覆蓋ケースを取り外し可能なスペースが形成されていることを特徴とする建築用シャッター装置。
【請求項２】
前記スペースは着脱可能な蓋部材によって覆蓋されていることを特徴とする請求項１記載の建築用シャッター装置。
【請求項３】
前記スペースはスペース覆蓋片によって少なくとも前面及び底面が覆蓋されており、該スペース覆蓋片と凹溝の溝側面部とのあいだはコーキング処理が施されていることを特徴とする請求項１又は２記載の建築用シャッター装置。
【請求項４】
前記凹溝とシャッターケースの左右端部のあいだにはカバー材が組み込まれており、該カバー材は凹溝の溝底を覆蓋する側面板を備えていることを特徴とする請求項１から３の何れか１記載の建築用シャッター装置。
【請求項５】
前記開口部は、ケース本体の下面又は前面の少なくとも一方に形成されていることを特徴とする請求項１から４の何れか１記載の建築用シャッター装置。
【発明の詳細な説明】
【技術分野】
【０００１】
本発明は、建造物の出入り口等の開口部に建て付けられる建築用シャッター装置の技術分野に関するものである。
【背景技術】
【０００２】
今日、建造物の出入口等の開口部を開閉するため、建築用シャッター装置を建て付けることがあるが、このようなシャッター装置を、建て付け部位の左右少なくとも一方側に柱や壁等の躯体側部材が屋外側に突出した所謂入隅部位に建て付けることがある。このような場合に、突出する躯体側部材とシャッターケースの左右側面とのあいだに隙間を設けるようにして建て付けていた（例えば特許文献１、２参照。）。
【先行技術文献】
【特許文献】
【０００３】
【特許文献１】特開２０００−２７４１６１号公報
【特許文献２】特開２００４−２６３４６２号公報
【発明の概要】
【発明が解決しようとする課題】
【０００４】
ところで今日、建築用シャッター装置において、居住環境を改善する等の理由から開口部の間口幅を広くしたいという要求があり、この要求は入隅部位にシャッター装置を建て付ける場合においても同様である。ところが前記従来のものは、躯体側部材とブラケットとのあいだに隙間がある分、左右のガイドレールが開口部の内側に突出した構造となって開口部の開口幅が狭くなってしまうという問題がある。
そこでこの要求を解決するため、入隅部位のシャッターケースが組み付けられる部位を、外壁を切り欠いた凹溝状とし、凹溝にシャッターケース端部を嵌合組み込みして開口幅を広くすることが提唱される。
しかしながらこのようにした場合、シャッターケースに内部の点検や巻き取りドラムの着脱等のメンテナンスをするための開口部を設け、この開口部を覆蓋する覆蓋ケースを備えたものとすると、覆蓋ケースが凹溝内に入り込むため取り外せなくなってしまい、メンテナンスができないという問題があり、ここに本発明の解決すべき課題がある。
【課題を解決するための手段】
【０００５】
本発明は、上記の如き実情に鑑み上記の課題を解決することを目的として創作されたものであって、請求項１の発明は、シャッターカーテンが巻装される巻取りドラムと、該巻き取りドラムを内装するシャッターケースと、シャッターカーテンをガイドするガイドレールと、を備えており、少なくとも左右いずれか一端部が建造物の入隅部位の躯体に建て付けられる建築用シャッター装置において、前記シャッターケースは、開口部が形成されたケース本体と、該ケース本体に着脱可能に取り付けられて前記開口部を覆蓋する覆蓋ケースと、を備えており、前記入隅部位の躯体には外壁を切り欠くことで凹溝が形成されており、前記ケース本体及び覆蓋ケースはいずれも、入隅側の端部が前記凹溝に組込まれており、前記凹溝は、覆蓋ケースの取り外し方向外方まで切り欠かれていて覆蓋ケースを取り外し可能なスペースが形成されていることを特徴とする建築用シャッター装置である。
請求項２の発明は、前記スペースは着脱可能な蓋部材によって覆蓋されていることを特徴とする請求項１記載の建築用シャッター装置である。
請求項３の発明は、前記スペースはスペース覆蓋片によって少なくとも前面及び底面が覆蓋されており、該スペース覆蓋片と凹溝の溝側面部とのあいだはコーキング処理が施されていることを特徴とする請求項１又は２記載の建築用シャッター装置である。
請求項４の発明は、前記凹溝とシャッターケースの左右端部のあいだにはカバー材が組み込まれており、該カバー材は凹溝の溝底を覆蓋する側面板を備えていることを特徴とする請求項１から３の何れか１記載の建築用シャッター装置である。
請求項５の発明は、前記開口部は、ケース本体の下面又は前面の少なくとも一方に形成されていることを特徴とする請求項１から４の何れか１記載の建築用シャッター装置である。
【発明の効果】
【０００６】
請求項１の発明とすることにより、入隅部位にシャッター装置を建て付ける場合において、凹溝内にシャッターケースを組み込むことで開口幅を確保しつつ、覆蓋ケースの取り外し方向外方に形成したスペースを利用して覆蓋ケースを取り外すことができるため、シャッターケース内部の点検や巻き取りドラムの着脱等のメンテナンス作業をすることができる。
請求項２の発明とすることにより、常時は蓋部材によってスペースを覆蓋することができるため、スペース内に塵芥や雨水等が入り込むことを防止することができる。
請求項３の発明とすることにより、下面ケースにコーキング処理を施すことなく、外壁が切り欠かれた凹溝の溝側面部にコーキング処理を施して防水性を確保することができる。
請求項４の発明とすることにより、凹溝の溝底に側面板が取り付けられて躯体が被覆されることとなり、耐火性を補強することができる。
請求項５の発明とすることにより、ケース本体の下面又は前面に開口部が形成されているため、シャッターケース内部のメンテナンスの作業性が向上する。
【図面の簡単な説明】
【０００７】
【図１】シャッター装置の正面図である。
【図２】シャッター装置の見上げ図である。
【図３】蓋部材及び下面ケースが取り付けられた状態のシャッター装置の要部斜視図である。
【図４】蓋部材が取り外された状態のシャッター装置の要部斜視図である。
【図５】蓋部材及び下面ケースが取り外された状態のシャッター装置の要部斜視図である。
【図６】蓋部材が取り付けられた状態の図１のＡ−Ａ側面断面図である。
【図７】蓋部材が取り外された状態の図１のＡ−Ａ側面断面図である。
【図８】シャッター装置の左端側に取り付けられるカバー材の（Ａ）平面図、（Ｂ）正面図、（Ｃ）右側面図、（Ｄ）背面図、（Ｅ）底面図である。
【図９】（Ａ）蓋部材の正面図、（Ｂ）蓋部材の側面図、（Ｃ）蓋部材のカバー材への取付状態を示す断面図である。
【図１０】（Ａ）〜（Ｄ）下面ケースの取り外し方法の説明図である。
【発明を実施するための形態】
【０００８】
以下、本発明の実施の形態について、図面に基づいて説明する。図面において、１は建造物の入隅部位Ｉの躯体であって、該躯体１の開口部Ｏには、建築用のシャッター装置２が建て付けられている。該シャッター装置２は、左右両端部が入隅部位Ｉにおいて躯体１の外壁３が切り欠かれた凹溝４内に組込まれたシャッターケース５を備えている。シャッター装置２が、シャッターケース５に内装される巻取りドラム６、該巻取りドラム６に巻装されるシャッターカーテン７、該シャッターカーテン７を昇降案内するガイドレール８等の部材装置になっていること等は従来通りである。
【０００９】
躯体１は左右両入隅となっており、開口部Ｏを備える正面部位１ａと、前方（屋外側）に突出した側壁１ｂとが交わることで、入隅部位Ｉが形成されている。側壁１ｂには外壁３が取り付けられているが、該外壁３は、耐火性を有する外装材で構成されている。そして、外壁３は、図６、７に示されるように、後述するシャッターケース５の左右端部５ａを覆蓋するカバー材１１の覆蓋片部１１ｂの形状に沿って切り欠かれ、凹溝４が形成されている。該凹溝４には、シャッターケース５の下面ケース１０を着脱可能とすべく、組み付け時の下面ケース１０の取り外し方向外方である下方にスペースＳが形成されており、これによって後述するように、下面ケース１０の左右端部１０ｃが凹溝４内に組み込まれている場合であっても、下面ケース１０を取り外すことができるようになっている。
【００１０】
シャッターケース５は、巻き取りドラム６を内装するケース本体９と、該ケース本体９の前端部の下面９ａの開口部９ｂを覆蓋する覆蓋ケースであって、左右両外壁３の凹溝４内に至るまで左右方向に長尺で着脱可能に取り付けられた下面ケース１０と、を備えて構成されている。ケース本体９は天板９ｃ、正面板９ｄ、左右の側面板９ｅ等の面板を備えたボックス形状を有しており、下面９ａの開口部９ｂは下面ケース１０と略同じ左右長さになっている。そして、下面９ａの左右端縁部９ｆからは、内側に向けて突出した取付片９ｇが延設されており、該取付片９ｇに下面ケース１０が螺子Ｘ２によって螺着されてケース本体９に着脱可能に取り付けられるようになっている。また、下面９ａの前端縁部には、下面ケース１０の前端部と、後述する蓋部材１４とを螺子Ｘ１によって螺着するための螺子孔９ｈが穿設されている。このように、ケース本体９の下面９ａに開口部９ｂを設け、常時は下面ケース１０を取り付けて開口部９ｂを覆蓋しておき、メンテナンス時には下面ケース１０を取り外すことにより、開口部９ｂからシャッターケース５内の点検や、巻き取りドラム６の着脱等のメンテナンス作業ができるようになっている。
【００１１】
下面ケース１０は、ケース本体９の取付片９ｇ及び螺子孔９ｈに相当する位置にそれぞれ螺子孔１０ａ、１０ｂが穿設されていて、左右端部１０ｃがいずれも凹溝４のスペースＳ内に半分程度収まる左右長さになっている。このようにすることにより、後述するように、前記スペースＳを利用して下面ケース１０を左右に往復移動させる所謂「行って来い」移動させることができて、凹溝４にシャッターケース５が組み込まれた場合であっても、下面ケース１０を取り外すことができる。
【００１２】
シャッターケース５の左右端部５ａは凹溝４内に組み込まれているが、該凹溝４とシャッターケース５とのあいだには、カバー材１１が取り付けられている。カバー材１１は、耐火性を有する素材、例えば鋼板製で左右勝手違いに形成されていて、凹溝４の溝底４ａ（側壁１ｂ）にビス止めされて該溝底４ａを覆蓋し、外周部が側壁１ｂと外壁３とのあいだに埋め込まれる板状の側面板１１ａと、左右方向内側に板状に延出した覆蓋片部１１ｂと、を備えている。カバー材１１の側面板１１ａは凹溝４の溝底４ａを覆蓋しており、耐火性を補うようになっている。他方、ケース本体９の側面板９ｅとカバー材１１の側面板１１ａとのあいだは離間していて、組み付け時にカバー材１１をスムーズに挿入できるようになっている。
【００１３】
カバー材１１の覆蓋片部１１ｂは、シャッターケース５のケース本体９の天板９ｃ及び正面板９ｄの外周形状に沿って左右方向内側に延出して、凹溝４内のケース本体９の外周部を覆蓋するケース覆蓋片１１ｃと、凹溝４のスペースＳの前面、背面、底面を覆蓋するスペース覆蓋片１１ｄと、を備えて構成されている。ケース覆蓋片１１ｃの内周側にはスポンジ状の水密材１１ｅが取り付けられており、ケース本体９の覆蓋時に、ケース覆蓋片１１ｃとケース本体９で水密材１１ｅが押しつぶされることで、当該部分からの雨水の浸入を防ぐようになっている。
【００１４】
カバー材１１は凹溝４内に組み込まれるが、このとき、覆蓋片部１１ｂと凹溝４の溝側面部４ｂとは離間しており、該離間した間隙はコーキング材Ｃによってコーキング処理が施されている。このように凹溝４の溝側面部４ｂとカバー材１１とをコーキングすることにより、外壁３に凹溝４を形成することで防水性の低下が懸念される場合に、下面ケース１０と凹溝４の溝側面部４ｂとを直接コーキングする必要がないため、下面ケース１０を取り外すことが可能となる。
【００１５】
カバー材１１の側面板１１ａには、スペースＳに相当する位置に補助部材１３が設けられている。該補助部材１３は、その上部に左右方向内側に向けて延出した上部片１３ａを備えており、該上部片１３ａの上面には水密材１３ｂが取り付けられているが、該水密材１３ｂはケース本体９の下面９ａの左右端縁部９ｆに当接するようになっている。他方、補助部材１３の下部は、先端側ほど下側に傾斜し、先端が上方に向けてＬ字形状に折曲した係止受け部１３ｃとなっている。該係止受け部１３ｃには、蓋部材１４の係止片１４ｃが係止することで、蓋部材１４をカバー材１１に取り付ける際に位置決めした状態で仮保持することができるようになっている。
【００１６】
蓋部材１４は、カバー材１１及びシャッターケース５に着脱可能に取り付けられてスペースＳの左右内側面を覆蓋している。蓋部材１４は鋼板製で、取り付け時に凹溝４のスペースＳの左右内側面を覆蓋する覆蓋面１４ａと、該覆蓋面の四周から左右方向外側（スペースＳ側）に向けて延出形成された周縁部１４ｂとを備えて構成されている。周縁部１４ｂの下端縁には、補助部材１３の係止受け部１３ｃに係止するため逆Ｖ字形状をした係止片１４ｃが設けられている。他方、周縁部１４ｂの上端縁には、取り付け時に下面ケース１０と共にケース本体９の螺子孔９ｈに螺子止めされるべく逆Ｌ字形状に折曲した取付片１４ｄが設けられている。そして蓋部材１４が取り付けられているときは、下から蓋部材１４の取付片１４ｄ、下面ケース１０、ケース本体９の螺子孔９ｈの順で螺子Ｘ１によって螺合されており、これによって、蓋部材１４がまず取り外され、その後に下面ケース１０が取り外されるようになっている。なお、下面ケース１０は螺子Ｘ２によってもケース本体と螺合されているため、螺子Ｘ１を取り外したときに蓋部材１４と共に一度に取り外されないようになっている。
【００１７】
本実施の形態にかかるシャッターケース５の組み付けは、以下のようにすることができる。まず、ケース本体９の背面部位に設けた係止部材９ｉに、躯体１の正面部位１ａに取り付けられた係止フック１ｃを挿通係止してケース本体９を躯体１に仮保持する。このとき、躯体１の側壁１ｂとケース本体９の側面板９ｅとのあいだは離間しており、この離間した間隙からカバー材１１を挿入する。そして、ケース本体９及びカバー材１１の覆蓋片部１１ｂはそれぞれ背面側が上方に延出しており、これら延出した上端部９ｊ、１１ｆを躯体１の正面部位１ａにビス止めすると共に、カバー材１１の側面板１１ａを躯体１の側壁１ｂにビス止めして固定する。その後、凹溝４が切り欠き形成された外壁３を躯体１の側壁１ｂの内側面に取り付け、凹溝４の溝側面部４ｂとカバー材１１の覆蓋片部１１ｂとのあいだをコーキングする。
【００１８】
続いて、シャッター装置２の下面ケース１０の取り外し方法について説明する。まず、蓋部材１４の取付片１４ｄから螺子Ｘ１を取り外し、シャッターケース５から蓋部材１４を取り外してスペースＳの左右内側面を開放する。次いで、下面ケース１０とケース本体９とを螺合する螺子Ｘ２を取り外すことで、下面ケース１０の左右端部１０ｃが下方のスペースＳに移動可能となる（図１０（Ａ）の状態）。そして、下面ケース１０の左右いずれか一端部を下方のスペースＳ内に移動させる（図１０（Ｂ）の状態）。その後、スペースＳに移動させた下ケース１０の一端部を、スペースＳ内でさらに一方の凹溝４の溝底４ａ側に移動させる（図１０（Ｃ）の状態）。このとき、下面ケース１０の他端部はスペースＳの左右方向内端よりも開口部Ｏ側に移動することとなる。最後に、このスペースＳから抜け出した他端部を下方に移動させて（図１０（Ｄ）の状態）、スペースＳ内に押し込まれていた一端部をスペースＳから抜き出すことで、下面ケース１０を完全に取り外すことができる。このように、下面ケース１０を、スペースＳを利用して左右に往復移動させる所謂「行って来い」移動させることによって、凹溝４内にシャッターケース５が組み込まれた場合であっても、下面ケース１０を取り外すことができて、ケース本体９の下面開口部からシャッターケース５内の点検や巻き取りドラム６の交換等のメンテナンス作業をすることができる。なお、メンテナンス作業を終えた後は、逆手順で下面ケース１０をケース本体９に取り付け、蓋部材１４でスペースＳを覆蓋することができる。
【００１９】
本実施の形態では、シャッター装置２が取り付けられる躯体１が左右両入隅のものとなっているが、左右何れか一方のみが入隅となっている場合であっても、入隅部側について同様の構成とすることによって下面ケース１０の着脱が可能となる。なおこの場合には、下面ケース１０の取り外すときに「行って来い」移動をする必要はないが、スペースＳが存在することにより、下面ケース１０が凹溝４内に組み込まれた場合でも取り外すことができることは同様である。
【００２０】
また、本実施の形態では、シャッターケース５とカバー材１１を別部材としているが、例えばスペース覆蓋片１１ｄをケース本体９の下面９ａの左右端縁部９ｆに一体に設けてスペースＳを覆蓋するようにしてもよい。この場合には、ケース本体９と外壁３の凹溝４の溝側面部４ｂとのあいだをコーキング処理しても、下面ケース１０はコーキングする必要がないため、下面ケース１０を着脱可能とすることができる。
【００２１】
またさらに、本実施の形態では、ケース本体９の開口部９ｂを下面９ａに設け、該開口部９ｂを覆蓋ケースである下面ケース１０によって覆蓋するものとしているが、ケース本体の開口部としては、必ずしも下面９ａの一部に設けるものに限られず、下面９ａ全体に設けてもよく、さらに、前面若しくは上面の一部若しくは全体に設けるもの、下面の一部若しくは全体と前面の一部若しくは全体に設けるもの、上面の一部若しくは全体と前面の一部若しくは全体に設けるもの、又はこれらを組み合わせたものであってもよく、このような場合において、覆蓋ケースは、これら開口部を着脱可能に覆蓋することになるが、凹溝４のスペースＳは覆蓋ケースの取り外し方向外方に形成したものとして構成される。すなわち、着脱可能な覆蓋ケースの取り外し方向外方にスペースＳを設ければ、覆蓋ケースが凹溝４内に組み込まれた場合であっても、取り外すことができるものである。
【００２２】
叙述の如く構成された本実施の形態において、左右端部が建造物の入隅部位Ｉの躯体１に建て付けられる建築用シャッター装置２は、下面９ａに開口部９ｂが形成されたケース本体９と、ケース本体９の下面９ａに着脱可能に取り付けられて開口部９ｂを覆蓋する覆蓋ケースである下面ケース１０と、を備えて構成されるシャッターケース５を備えており、シャッターケース５のケース本体９及び下面ケース１０はいずれも左右端部が外壁３を切り欠いて形成した凹溝４に組込まれているため、開口部Ｏの開口幅を広く確保することができる。しかも、凹溝４は下面ケース１０の取り外し方向外方である下方まで切り欠かれてスペースＳが形成されていて、該スペースＳを利用することにより、下面ケース１０を左右に往復移動させる所謂「行って来い」移動させることで、凹溝４内にシャッターケース５が組み込まれた場合であっても、下面ケース１０を取り外すことができて、ケース本体９の下面開口部からシャッターケース５内の点検や巻き取りドラム６の交換等のメンテナンス作業をすることができることとなる。
【００２３】
また、スペースＳは着脱可能な蓋部材１４によって左右内側面が覆蓋されているため、スペース内に塵芥や雨水等が入り込むことを防止することができるようになっている。さらに、シャッターケース５と凹溝４とのあいだにはカバー材１１が取り付けられていて、スペースＳはカバー材１１のスペース覆蓋片１１ｄによって前面、底面及び背面が覆蓋されており、スペース覆蓋片１１ｄと凹溝４の溝側面部４ｂとのあいだがコーキング材Ｃによってコーキング処理が施されているため、下面ケース１０に対してはコーキング処理を施さずに着脱可能としつつ、凹溝４の溝側面部にコーキング処理を施して防水性を確保することができるようになっている。さらに、カバー材１１は凹溝４の溝底４ａの形状に沿った側面板１１ａを備えており、該側面板１１ａが凹溝４に嵌合組み込みされているため、耐火性が補強されるようになっている。
【産業上の利用可能性】
【００２４】
本発明は、建造物の出入り口等の開口部に建て付けられる建築用シャッター装置に利用することができる。
【符号の説明】
【００２５】
１    躯体
２    シャッター装置
３    外壁
４    凹溝
４ａ  溝底
４ｂ  溝側面部
５    シャッターケース
６    巻取りドラム
７    シャッターカーテン
８    ガイドレール
９    ケース本体
９ａ  下面
９ｂ  開口部
１０    下面ケース（覆蓋ケース）
１１    カバー材
１１ａ  側面板
１１ｄ  スペース覆蓋片
１４    蓋部材
Ｃ    コーキング材
Ｉ    入隅部位
Ｏ    開口部
Ｓ    スペース
【図１】
2018104896.tif 000003
【図２】
2018104896.tif 000004
【図３】
2018104896.tif 000005
【図４】
2018104896.tif 000006
【図５】
2018104896.tif 000007
【図６】
2018104896.tif 000008
【図７】
2018104896.tif 000009
【図８】
2018104896.tif 000010
【図９】
2018104896.tif 000011
【図１０】
2018104896.tif 000012